(57)【要約】      （修正有）【課題】  搬送ローラによって駆動される搬送ベルトと、ベルトに接離可能な従動ローラに挟持されたシート搬送装置では、紙詰まりの時従動ローラユニット全体を搬送ベルトに対し離間する方向に移動し、詰まったシートを取り除く構成となっている。従動ローラユニット全体が移動するため、装置の複雑化やコストアップにつながり、ユニット全体が移動するためのスペースが必要となり、装置の大型化や設置場所に制限が生じるという問題があった。【解決手段】シート搬送手段に従動搬送手段を所定の当接力で当接する加圧手段を有し、シートを挟持して搬送するシート搬送装置において、加圧状態と圧解除状態に切り替え可能となる移動可能なスライド加圧補助手段を設けた。さらに加圧補助手段はシート搬送方向と略平行方向に往復移動し、かつ回動可能な回転部材を有し、加圧状態と圧解除状態に切り替え可能とした。【選択図】  図６
2006124043.tif 000002
【特許請求の範囲】
【請求項１】
シートを搬送するシート搬送手段と、前記シート搬送手段に接離可能な従動搬送手段と、前記シート搬送手段に前記従動搬送手段を所定の当接力で当接する加圧手段を有し、前記シート搬送手段と前記従動搬送手段でシートを挟持してシートを搬送するシート搬送装置において、
前記加圧手段を、加圧状態と圧解除状態に切り替える移動可能なスライド加圧補助手段を設けた事を特徴としたシート搬送装置。
【請求項２】
前記スライド加圧補助手段は、シート搬送方向と略平行方向に往復移動する事を特徴とした請求項１に記載のシート搬送装置。
【請求項３】
前記スライド加圧補助手段は押圧部材を有し、この押圧部材は前記加圧手段に作用し、これを加圧状態と圧解除状態に切り替える事を特徴とした請求項１、２に記載のシート搬送装置。
【請求項４】
前記従動搬送手段と前記加圧手段を複数有し、前記スライド加圧補助手段は加圧手段と同数の前記押圧部材を有している事を特徴とした請求項１〜３に記載のシート搬送装置。
【請求項５】
前記押圧部材は、回転するコロであることを特徴とした請求項３、４に記載のシート搬送装置。
【請求項６】
請求項１から５のシート搬送装置を具備した、画像形成装置。
【発明の詳細な説明】
【技術分野】
【０００１】
本発明は、シート材等を搬送するシート搬送装置に関するものである。
【背景技術】
【０００２】
従来のシート搬送装置には、図１１に示すように、所定の速度で回転するシート搬送ローラ５８ａ〜５８ｄとその周囲に巻かれた搬送ベルト４２、そのベルトに接離可能な従動コロ４３ａ〜４３ｄと従動コロバネ５３ａ〜５３ｄ構成され、シートがシート搬送ローラ５８ａ〜５８ｄと従動コロ４３ａ〜４３ｄに所定の当接力で挟持されてシートの搬送が行われているものがある。
【０００３】
この構成は、たとえば封筒のように搬送されるシート材が複数枚で構成されていたり、シートの厚さが場所によって不均一であったりする時、それを高速に搬送するのに有効な構造である。そのため、複数の従動コロ４３ａ〜４３ｄが独立して各々従動コロバネ５３ａ〜５３ｄで搬送ベルト４２に圧接しており、搬送ベルト４２と従動コロ４３ａ〜４３ｄの間に挟まれたシート材の形状変化に柔軟に追従できる構造になっている。
【０００４】
さらに、前記複数の従動コロ４３ａ〜４３ｄと従動コロバネ５３ａ〜５３ｄは、搬送従動ユニットと呼ばれる一体の支持部材に取り付いており、シート搬送装置内でシート詰まりが生じた場合、図１２に示すように搬送従動ユニット全体をシート搬送ローラに対し離間する方向に移動して搬送ベルトと従動コロを離間し、詰まったシートを簡易に取り除く事ができる構成となっている。
【発明の開示】
【発明が解決しようとする課題】
【０００５】
しかしながら、上記従来例では、搬送従動ユニット全体が移動可能なため、装置の複雑化やコストアップにつながり、また移動した搬送従動ユニットにユーザが不用意に手を触れないように格納するためのスペースが必要となるので、装置の大型化や装置の設置場所に制限が生じてしまうという問題があった。
【０００６】
そこで本発明は上記問題点に鑑み、シート搬送装置全体の構造を簡素化小型化し、設置場所に制限されない画像形成装置を提供することを目的とする。
【課題を解決するための手段】
【０００７】
上記問題を解決するために、本発明の請求項１に係るシート搬送装置においては、シートを搬送するシート搬送手段と、シート搬送手段に接離可能な従動搬送手段と、前記シート搬送手段に前記従動搬送手段を所定の当接力で当接する加圧手段を有し、前記シート搬送手段と前記従動搬送手段でシートを挟持してシートを搬送するシート搬送装置において、前記加圧手段が加圧状態と圧解除状態に切り替える移動可能なスライド加圧補助手段を設けた。
【０００８】
また、本発明の請求項２にかかるシート搬送装置では、上記請求項１におけるスライド加圧補助手段が、シート搬送方向と略平行に往復移動することを特徴としている。
【０００９】
また、本発明の請求項３にかかるシート搬送装置では、上記請求項１、２における前記スライド加圧補助手段は押圧部材を有し、この押圧部材は前記加圧手段に作用し、これを加圧状態と圧解除状態に切り替える事を特徴としている。
【００１０】
また、本発明の請求項４にかかるシート搬送装置では、上記請求項１から３における従動搬送手段と前記加圧手段を複数有し、前記スライド加圧補助手段は加圧手段と同数の前記押圧部材を有している事を特徴としている。
【００１１】
さらに、本発明の請求項５にかかるシート搬送装置では、上記請求項３，４における押圧部材は、回転するコロであることを特徴としている。
【００１２】
さらにまた、本発明の請求項６にかかる画像形成装置は、上記請求項１から５におけるシート搬送装置を具備している。
【発明の効果】
【００１３】
以上説明したように、本発明による構成を有するシート搬送装置は、シート搬送機構の加圧解除機構を小型化できるため、装置の簡素化や小型化につながり、安価で装置の設置場所に制限されない装置の提供が可能となる。
【発明を実施するための最良の形態】
【００１４】
以下、図面を参照して本発明が組み込まれたシート搬送装置の構成を説明する。
【実施例】
【００１５】
図１は本発明の実施例であるインクジェット方式のプリンタの断面図、図２、３は平面図である。
【００１６】
図１〜３に示すようにインクジェット方式のプリンタはＢＪヘッドユニット１、キャリッジ装置２、回復装置３、シート搬送装置４等を備えている。ＢＪヘッドユニット１はインクタンク１０が装着可能で、インクを吐出するノズルを複数有している。キャリッジ装置２には、ＢＪヘッドユニット１とインクタンク１０が装着される。そしてキャリッジ装置２は、キャリッジ軸２３、２４にガイドされおり、キャリッジ軸２３、２４の軸上を移動可能であり、またキャリッジ装置２は、タイミングベルト２１に取り付き、キャリッジモータ２２の駆動で、回復装置３と対向した位置（図２）と印字位置（図３）の往復移動が可能である。回復装置３はＢＪヘッド１の清掃やＢＪヘッド１を使用しない時にノズルが乾燥しないように保管する機能を有している。シート搬送装置４は、デッキプレート４１上に挿入された印字媒体を図示せぬ搬送モータで駆動される搬送ベルト４２と、搬送ベルト４２に付勢する従動コロ４３ａ〜４３ｄで挟持して搬送を行う。また、搬送従動プーリ４４にエンコーダホイール４６を有し、エンコーダセンサ４５で搬送ベルトの速度を検知し、搬送速度が常に一定となるよう搬送モータを制御している。
【００１７】
ここで、本実施例の印字動作についてフローチャート（図４）を用いて説明する。ユーザが印字媒体をシート搬送装置４のデッキプレート４１に挿入すると、シート搬送装置４の入口部近傍に配置された入口センサ４７が印字媒体を検知し（S１）、キャリッジモータ２２が駆動し（S２）、キャリッジ装置２が印字位置まで移動して、キャリッジモータ２２をＯＦＦにする（S３、４）。その後、搬送モータが駆動し（S５）、印字媒体は搬送ベルト４２により、搬送された印字媒体が、ＢＪヘッド１直下に到達した時点で、ＢＪヘッド１が印字媒体に対してインクを噴射して印字する（S６、７）。そして、搬送モータをＯＦＦ（Ｓ８）してから、キャリッジモータ２２を駆動して、キャリッジ装置２を回復装置３に対向した位置（ホームポジション）まで移動させて、キャリッジモータ２２をＯＦＦする（S９〜１１）。
【００１８】
次に本実施例のシート搬送装置４について説明する。図５、6は搬送装置４の断面図、図7は搬送装置４の斜視図である。
【００１９】
搬送ベルト４２は、無端のゴム製ベルトであり、搬送駆動プーリ４８と搬送従動プーリ４４に掛けられ、プーリテンショナー４９で所定の張力が与えられている。そして搬送駆動プーリ軸４８は、図示せぬモータで駆動される。また搬送ベルト４２には、２個のバックアッププーリ５０ａ、５０ｂが配置され、従動コロ４３ｂ、４３ｃが当接しても、搬送ベルト４２のたわみを防止する構成となっている。
【００２０】
搬送ベルト４２には４個の従動コロ４３ａ〜４３ｄが配置してあり、従動コロ４３ａ〜４３ｄは従動コロアーム５１ａ〜５１ｄに回転可能に支持されている。従動コロアーム５１ａは、ボス５２ａを形成し、ボス５２ａを中心に揺動可能で、搬送底板５５に軸支されている。また、従動コロアーム５１ｂ〜５１ｄは、従動コロ軸５２ｂ〜５２ｄが取り付き、従動コロ軸５２を中心に揺動可能で、搬送底板５５に軸支されている。
【００２１】
図8は従動コロアーム５１ｂの周りの斜視図である。従動コロ軸５２ｂには、従動コロバネ５３ｂが取り付き、従動コロ軸５２ｂを中心にネジリコイルバネ５３ｂが、回動可能となっている。
【００２２】
図５に示すように、従動コロアーム５１ｂに取り付いている従動コロバネ５３ａが従動コロアーム５１ａに作用して、従動コロ４３ａを搬送ベルト４２に付勢している。すなわち、従動コロアーム５１に取り付いている従動コロバネ５３は、一つ上流側の従動コロアーム５１に作用し、従動コロ４３を搬送ベルト４２に付勢する構成となっている。なお、最下流側の従動コロアーム５１ｄは、最下流側の従動コロ軸５２ｅに取り付いたネジリコイルバネ５３ｄが、作用する構成となっている。そして、従動コロ軸５２ｂ〜５２ｅの下部には、加圧補助板５４が配置され、搬送底板５５上をシート搬送方向に往復移動可能となっている。
【００２３】
加圧補助板５４には、加圧コロ５６ａ〜５６ｄが回転可能に取り付いている。これらは、加圧補助板５４が搬送底板５５上を往復移動する時の抵抗を軽減する。また、加圧コロ５６ａ〜５６ｄは従動コロバネ５３ａ〜５３ｄの他端と相対した位置にあり、加圧補助板５４が右端まで移動すると加圧コロ５６が押圧部材として従動コロバネ５３の他端を押し上げるので、加圧状態となり、従動コロ４３が搬送ベルト４２に付勢する。加圧補助板５４が左端に移動すると、従動コロバネ５３の他端が加圧コロ５６から開放され、加圧解除されるので、従動コロアーム５１が自重で回動可能となり、従動コロ４３が搬送ベルト４２から離間する（図６）。
【００２４】
加圧コロ５６ａ〜５６ｄは、回転しない部材でもよい。その場合は、加圧補助板５４が搬送底板５５上を往復移動する時の抵抗が若干大きくなるため、加圧、解除の操作に力が必要になるが、コロが不要な分コストを下げることができる。
【００２５】
また、図９,１０は、搬送装置４の正面図で、加圧補助板５４に、ボス５４ａが形成しており、搬送底板５５には、回動自在な解除レバー５７が取り付いている。解除レバー５７にはＵ字溝５７ａが形成され、ボス５４ａがはまり込んでいる。このため、解除レバー５７を回動する事により、加圧補助板５４を左右に移動する事ができる。したがってシート搬送装置４内でシート詰まりが生じた時、解除レバー５７を時計回りに回転することで、加圧補助板５４が左端に移動し、従動コロ４３が搬送ベルト４２から離間して、シートを容易に取り除く事ができる（図10）。
【００２６】
以上、本発明を実施形態に基づき具体的に説明したが、本発明は上記実施形態に限定されるものではなく、その要旨を逸脱しない範囲で種々変形可能であることは、言うまでもない。
【００２７】
たとえば、実施例ではシート搬送手段として搬送ベルト４２を用いた場合について述べたが、これは何もベルトを用いなくとも本発明は成り立つ。その場合には、搬送駆動プーリ４８、搬送従動プーリ４４、バックアッププーリ５０ａ、５０ｂの4つをすべて駆動ローラとして構成し、従動コロ４３ａ〜４３ｄをそれらに加圧すればよい。
【００２８】
また、本実施例ではインクジェットプリンタを例に説明したが、インクジェット以外の画像形成装置の場合でも、本発明は成り立つ。
【００２９】
以上説明したように、本発明によればシートを搬送する際にシート詰まりが発生しても、容易に加圧を解除してそれを処理でき、かつ装置の大型化や大きなコストアップもなく簡単な構成でそれを実現することができる。
【図面の簡単な説明】
【００３０】
【図１】本発明第一の実施例に係る装置全体の断面図
【図２】本発明の第１の実施例に係る装置の平面図
【図３】本発明の第１の実施例に係る装置の平面図
【図４】本発明の第１の実施例に係る印字動作のフローチャート
【図５】本発明の第１の実施例に係る搬送装置の断面図
【図６】本発明の第１の実施例に係る搬送装置の断面図
【図７】本発明の第１の実施例に係る搬送装置の斜視図
【図８】本発明の第１の実施例に係る従動コロアームの周りの斜視図
【図９】本発明の第１の実施例に係る装置の正面図
【図１０】本発明の第１の実施例に係る装置の正面図
【図１１】搬送状態を示す従来の実施例
【図１２】解除状態を示す従来の実施例
【符号の説明】
【００３１】
１  インクジェットヘッドユニット
２  キャリッジ
３  回復装置
４  搬送装置
１０  インクタンク
２１  タイミングベルト
２２  キャリッジモータ
２３  キャリッジ軸
２４  キャリッジ軸
２５  
４１  デッキプレート
４２  搬送ベルト
４３ａ、４３ｂ、４３ｃ、４３ｄ  従動コロ
４４  搬送従動プーリ  
４５  エンコーダセンサ
４７  入口センサ
５０ａ、５０ｂ  バックアッププーリ
５１ａ、５１ｂ、５１ｃ、５１ｄ  従動コロアーム
５２ａ、５２ｂ、５２ｃ、５２ｄ、５２ｅ  従動コロ軸
５３ａ、５３ｂ、５３ｃ、５３ｄ  従動コロバネ
５４  加圧補助板
５５  搬送底板
５６ａ、５６ｂ、５６ｃ、５６ｄ  加圧コロ
５８ａ、５８ｂ、５８ｃ、５８ｄ  搬送ローラ
【図１】
2006124043.tif 000003
【図２】
2006124043.tif 000004
【図３】
2006124043.tif 000005
【図４】
2006124043.tif 000006
【図５】
2006124043.tif 000007
【図６】
2006124043.tif 000008
【図７】
2006124043.tif 000009
【図８】
2006124043.tif 000010
【図９】
2006124043.tif 000011
【図１０】
2006124043.tif 000012
【図１１】
2006124043.tif 000013
【図１２】
2006124043.tif 000014